(57)【要約】【課題】使用するときの観賞効果と心境の変化を改変できて、しおりを具備して、使用するときの実用性を向上できる多機能のはがき構造を提供する。【解決手段】透明シート部材、第１シート部材、第２シート部材と、封入物と、を備える。透明シート部材は、矩形のシート構造体を形成していて、４つの辺部を有し、任意の連続する３つの辺部は、それぞれ折り返し部に連接する。第１シート部材は、該折り返し部の同じ側に貼り合わせて、該透明シート部材と、該第１シート部材との間は、収容空間を形成する。第２シート部材は、該折り返し部のもう一つ側に貼り合わせて、折り返し部は第２シート部材と第２シート部材との間によって覆われる。封入物は、収容空間に内設していて、収容物の一面は図案領域を有し、図案領域は透明シート部材を介して、直接に視認できる。【選択図】図２
0003168573.tif 000002
【実用新案登録請求の範囲】
【請求項１】
多機能のはがき構造であって、
透明シート部材、第１シート部材、第２シート部材と、封入物と、を備え、
前記透明シート部材は、矩形のシート構造体であり、４つの辺部を有し、
かつ前記透明シート部材の任意の連続する３つの辺部は、それぞれ折り返し部に接続していて、
前記第１シート部材は、前記折り返し部の同じ側に貼り合わせ、
前記透明シート部材と前記第１シート部材との間は、収容空間を形成し、
前記第２シート部材は、前記折り返し部のもう一つ側に貼り合わせ、
前記折り返し部は、前記第1シート部材と前記第２シート部材との間に覆われていて、
かつ前記第２シート部材の一表面は、書き込み領域を有し、
前記封入物は、前記収容空間に設置していて、
前記封入物の一表面は、図案領域を有し、
かつ前記図案領域は、前記透明シート部材を介して、直接に視認できる多機能のはがき構造。
【請求項２】
前記透明シート部材は、前記折り返し部を設置していない前記辺部に、フラップ部を設けることを特徴とする、請求項１記載の多機能のはがき構造。
【請求項３】
前記第２シート部材はさらに、折り畳み収納可能なスタンドを有し、前記折り畳み収納可能なスタンドは、前記第２シート部材の縦方向のシートと横方向のシートを含み、前記縦方向のシートと前記横方向のシートがそれぞれ前記第２シート部材に垂直するとき、前記縦方向のシートと前記横方向のシートは、互いに掛け合うことを特徴とする、請求項１記載の多機能のはがき構造。
【請求項４】
前記第２シート部材はさらに、前記第２シート部材と前記折り返し部が貼り合わせる表面の遮蔽部を有することを特徴とする、請求項３記載の多機能のはがき構造。
【請求項５】
前記封入物はさらに、しおりを有し、前記しおりは前記図案領域に対応して貼り合わせることを特徴とする、請求項１記載の多機能のはがき構造。
【考案の詳細な説明】
【技術分野】
【０００１】
本考案は、はがき封筒の分野に関し、特に図案を交換でき、かつしおりを有していて、写真立てとして使用可能な多機能のはがき構造に関する。
【背景技術】
【０００２】
はがきは、視覚（平面）によって観賞、収蔵および文書の書き込みを提供し、封筒に入れるが必要なく、郵便局で郵送可能な郵便物である。その長所は、切手を貼り付ける手間を省き、新たな封筒を用意する必要がないことである。しかし、欠点としては、書き込みスペースが小さく、プライバシーに欠けることであるため、大半の人はプライバシーに関わらない内容を書くことになる。通常は、簡単な言葉で親戚、友人に連絡をする通信手段として使用されている。
【０００３】
図１に示した、一般のはがきの構造態様図を参照して説明する。同図に示すように、はがき１は、紙部材からなる片状の構造体である。表面と裏面２つの面を有し、表面は、封筒の格式で印刷した書き込み領域１１であり、裏面は内容を書き入れる空白領域１２である。はがき１は、内容を書き込み空白領域１２と、景色の写真、動物、植物またはアニメションのいずれかの図案１３と結合し、図案１３は直接空白領域１２に印刷していて、視覚観賞と保存価値を向上できる。これにより、はがき１を使用するときには、通常は、空白領域１２および図案１３を印刷した片側に簡単な言葉を書き込んで親戚や友人に送ってその内容を共有する。
【考案の概要】
【考案が解決しようとする課題】
【０００４】
しかし、相手側がはがき１を入手したとき、印刷された図案１３を観賞した後、保管して置く場合がある。そこで、良い収納手段がなければ、後日もう一度見たいときに、時間をかけて、はがき一枚ごとに探すことになり、極めて不便である。
一般のはがき１は、機能面または用途面とも単調無味であることから、改善の余地がある。
【０００５】
出願人はこの点を鑑みて、はがき構造を封筒に利用し、片面は文字の書き込み領域を形成し、郵便物を発送するときの情報を記入できる多機能のはがき構造を提供するものである。
はがきの内部は少なくとも一つの封入物を収容できる。かつ封入物上は、図案領域を設置していて、同時に複数枚の封入物を収容できるほか、高速交換の効果を有し、さまざまな視覚観賞（立体）効果を有する。
さらに、本考案のはがきはさらに、折り畳み収納可能なスタンドを設置しており、はがきと封入物を結合して、写真立てとして利用できる。
このほか、封入物の図案領域に対応して、しおりを設置しており、本考案の機能性と実用性を大幅に向上できる。
【課題を解決するための手段】
【０００６】
本考案の一目的は、図案の交換機能を有するはがき構造を提供する。はがきは、少なくとも一つの封入物を収容するための収容空間を形成していて、複数枚の図案を備えた封入物を同時に収容して高速に交換できるため、簡単便利のほか、使用者が使用するときは、さまざまな観賞効果を改変できる。
【０００７】
本考案次の目的は、写真立ての機能を有するはがき構造を提供する。はがきの片側はさらに、折り畳み収納可能なスタンドが設置していて、はがきと封入物を立て置き、写真立てとして使用することができる。さらに、封入物は一般の写真に変えられるため、実用性は、大幅に向上される。
【０００８】
本考案のまた一つの目的は、多機能のはがき構造を提供する。封入物上に取外し可能なしおりを設置していて、しおりを取外して使用することによって、実用性を向上できる。
【０００９】
前述した目的を達成するため、本考案の多機能のはがき構造は、透明シート部材、第１シート部材、第２シート部材と、封入物と、を備える。透明シート部材は、矩形のシート構造体を形成していて、４つの辺部を有し、任意の連続する３つの辺部は、それぞれ折り返し部に連接する。第１シート部材は、該折り返し部の同じ側に貼り合わせて、該透明シート部材と、該第１シート部材との間は、収容空間を形成する。第２シート部材は、該折り返し部のもう一つ側に貼り合わせて、折り返し部は第２シート部材と第２シート部材との間によって、覆われる。封入物は、収容空間に内設していて、収容物の一面は図案領域を有し、図案領域は透明シート部材を介して、直接に視認できる。そのうち、透明シート部材に折り返し部を設けていない辺部はさらに、フラップ部に連接する。フラップ部は三角形を形成し、フラップ部と透明シート部材に連接していない隅部を収容空間の内部に折り込む。そのうち、第２シート部材の一表面は、書き込み領域を有する。封入物はさらに、しおりを有し、しおりは、図案領域に対応して貼り合わせている。そのうち、透明シート部材、しおりは例えば、プロピレン（Ｐｏｌｙｐｒｏｐｙｌｅｎｅ，  ＰＰ）、エチレン酢酸ビニル（Ｅｔｈｙｌｅｎｅ  Ｖｉｎｙｌ  Ａｃｅｔａｔｅ，  ＥＶＡ）または高密度ポリエチレン（Ｈｉｇｈ  Ｄｅｎｓｉｔｙ  Ｐｏｌｙｅｔｈｙｌｅｎｅ，  ＨＤＰＥ）などの毒性を有しない環境保護プラスチック部材であり、第１シート部材、第２シート部材と封入物は、紙シート部材である。
【００１０】
一実施例において、第２シート部材上はさらに、折り畳み収納可能なスタンドを設置している。折り畳み収納可能なスタンドは、第２シート部材に連接している縦方向のシートと横方向のシートを有し、縦方向のシートと横方向のシートは、それぞれ第２シート部材に垂直しているとき、縦方向のシートと横方向のシートは、互いに掛け合うことになる。第２シート部材はさらに、第２シート部材と折り返し部が貼り付ける表面に設置する遮蔽部と、を備える。
【図面の簡単な説明】
【００１１】
【図１】一般のはがきの構造態様図である。
【図２】本考案の好ましい実施例の立体分解図である。
【図３】本考案の好ましい実施例の組立ステップ図（その１）である。
【図４】本考案の好ましい実施例の組立ステップ図（その２）である。
【図５】本考案の好ましい実施例の組立ステップ図（その３）である。
【図６】本考案の好ましい実施例の組立ステップ図（その４）である。
【図７】本考案の好ましい実施例において、写真立ての操作体態様図（その１）である。
【図８】本考案の好ましい実施例において、写真立ての操作体態様図（その２）である。
【図９】本考案の好ましい実施例の製造フロー図である。
【考案を実施するための形態】
【００１２】
以下に図面を参照しながら本考案について詳しく説明する。
【実施例】
【００１３】
図２、３ないし６に示した、本考案の好ましい実施例の立体分解図及び組立ステップ図を参照して説明する。
図に示すように、本考案の多機能のはがき構造２は、透明シート部材２１、第１シート部材２２、第２シート部材２３と、封入物２４からなる。
そのうち、透明シート部材２１は、毒性を有しない環境保護プラスチック部材からなる矩形のシート構造体であり、透明シート部材２１は、４つの辺部２１１を有し、透明シート部材２１の任意の３つの辺部２１１は、それぞれ折り返し部２１２を連接していて、かつ折り返し部２１２は、台形を形成する。折り返し部２１２は、辺部２１１を沿って、透明シート部材２１の一表面に折り返すようになっている。ここで注意すべきことは、毒性を有しない環境保護プラスチック部材は、ごく一般のプロピレン（Ｐｏｌｙｐｒｏｐｙｌｅｎｅ，  ＰＰ）、エチレン酢酸ビニル（Ｅｔｈｙｌｅｎｅ  Ｖｉｎｙｌ  Ａｃｅｔａｔｅ，  ＥＶＡ）または高密度ポリエチレン（Ｈｉｇｈ  Ｄｅｎｓｉｔｙ  Ｐｏｌｙｅｔｈｙｌｅｎｅ，  ＨＤＰＥ）などから選択する。さらに、透明シート部材２１に折り返し部２１２を設けていない辺部２１１はさらに、フラップ部２１３を連接していて、フラップ部２１３は三角形を形成する。
【００１４】
第１シート部材２２は紙シート部材を裁断して、透明シート部材２１の形と寸法に対応したシート状の構造体であり、第１シート部材２２は折り返し部２１２と同じ側に貼り合わせていて（図は、折り返し部２１２の内側を示す）、透明シート部材２１及び第１シート部材２２との間に収容空間２２１を形成する。フラップ部２１３に透明シート部材２１と連接していない隅部は、収容空間２２１の内部に折り返すようにする。
【００１５】
第２シート部材２３は同じく、紙シート部材を裁断して、透明シート部材２１の形状と寸法に対応したシート状の構造体であり、第２シート部材２３の片側は、遮蔽部２３１を設置し、同じく紙シート部材または紙片からなる。遮蔽部２３１は、第２シート部材２３と折り返し部２１２と貼り付ける表面に設置していて、折り返し部２１２を第１シート部材２２と第２シート部材２３との間に覆うようにする。さらに、第２シート部材２３は、裁断して折り畳み収納可能なスタンド２３２を設置し、折り畳み収納可能なスタンド２３２は、第２シート部材２３に連接する縦方向のシート２３２１と横方向のシート２３２２を有し、縦方向のシート２３２１は、横方向のシート２３２２と交差するように設置する。すなわち、縦方向のシート２３２１の一部分は、横方向のシート２３２２の一部分になる。そのうち、第２シート部材２４もう一つの表面は、書き込み領域２３３を有する。
【００１６】
封入物２４は、紙シート部材を裁断して仕上げたシート状の構造体であり、封入物２４は、収容空間２２１の内部に挿設していて、かつ封入物２４の一表面は、図案領域２４１を有し、図案領域２４１は、透明シート部材２１を介して直接視認できる。ここで注意すべきことは、封入物２４は、一般の紙製のカードや写真などの紙類の装飾品、または磁気を帯びたデコレーションカードあるいは小さいアクセサリなどである。さらに、封入物２４はさらに、しおり２４２を設置していて、しおり２４２は前述プロピレン（Ｐｏｌｙｐｒｏｐｙｌｅｎｅ，  ＰＰ）、エチレン酢酸ビニル（Ｅｔｈｙｌｅｎｅ  Ｖｉｎｙｌ  Ａｃｅｔａｔｅ，  ＥＶＡ）または高密度ポリエチレン（Ｈｉｇｈ  Ｄｅｎｓｉｔｙ  Ｐｏｌｙｅｔｈｙｌｅｎｅ，  ＨＤＰＥ）など、毒性を有しない環境保護プラスチック部材を選択する。しおり２４２は、図案領域２４１に対応して貼り合わせる。しおり２４２は、磁性部材からなり、磁気によって、封入物２４の図案領域２４１に吸着させるほか、金属表面の装飾に使用しても良い。
【００１７】
図７、図８に示した本考案の好ましい実施例において、写真立ての操作体態様図（その１と２）を参照して説明する。
図に示すように、本考案の多機能のはがき構造２を使用するときは、縦方向のシート２３２１を第２シート部材２３上に垂直して立て置き、引き続き、横方向のシート２３２２を第２シート部材２３上に垂直に立てて置く。横方向のシート２３２２と縦方向のシート２３２１が交差する部分は、互いに掛け合って、縦方向のシート２３２１を利用して、多機能のはがき構造２を平面上に垂直に立てて置くことで写真立てとして使用することができる。
【００１８】
図９に示した本考案の好ましい実施例の製造フロー図を参照して説明する。
引き続き、図２ないし５を合わせて参照する。図に示すように、本考案の多機能のはがき構造２は、以下のステップによって、作られる。
【００１９】
ステップ  イ、
第１シート部材２２を透明シート部材２１の一表面に設置し、折り返し部２１２を第１シート部材２２の方向に折り返した後、第１シート部材２２の一表面に貼り合わせて、透明シート部材２１と第１シート部材２２との間に収容空間２２１を形成する。（図４に示す）
【００２０】
ステップ  ロ、
第２シート部材２３の遮蔽部２３１を第１シート部材２２の片側に貼り合わせて、折り返し部２１２を第２シート部材２３と第１シート部材２２との間に挟み込むように設置する。（図３に示す）
【００２１】
ステップ  ハ、
第２シート部材２３の一部分（特に周縁部）を遮蔽部２３１の片側に貼り合わせることによって、第２シート部材２３に備える折り畳み収納可能なスタンド２３２を貼り合わせないで自在性を有する。（図４に示す）
【００２２】
ステップ  ニ、
封入物２４を収容空間２２１に挿設し、折り返し部２１３を収容空間２２１の内側に折り返すことによって、封入物２４が完全に収容空間２２１に覆われていて、脱落しない。（図５に示す）
【００２３】
以上説明のとおり、本考案の多機能のはがき構造２は、透明シート部材２１、第１シート部材２２と第２シート部材２３を相互に貼り合わせることによって、収容空間２２１を形成して、本考案の封入物２４または写真あるいは平面状の装飾品など、同時に複数枚の異なる図案の封入物２４を収容でき、高速、かつ簡単便利に交換して、使用するときの観賞効果を改変できる。
さらに、本考案の第２シート部材２３に備える折り畳み収納可能なスタンド２３２の設計は、平面上に立たせて、写真立てとして使用し、実用性を向上できる。このほか、本考案の封入物２４上は、取外し式のしおり２４２を設置していて、しおり２４２を取り外した後も、図案領域２４１を視認できる。装飾品効果を失われない。かつ、しおりの用途を向上できるほか、実用性を向上できる。
【００２４】
以上に説明した記載は、本考案の好ましい実施例であり、本考案の範囲に制限を加わるものではない。よって、当該技術の一般的な知識を有する者、または本考案の技術に熟知する者であれば、本考案の精神と範囲を逸脱しない、いかなる等効果の変化と修飾も、本考案に含まれるものである。
【符号の説明】
【００２５】
１            はがき
１１            書き込み領域
１２            空白領域
１３            図案
２            多機能のはがき構造
２１            透明シート部材
２１１            辺部
２１２            折り返し部
２１３            フラップ部
２２            第１シート部材
２２１            収容空間
２３            第２シート部材
２３１            遮蔽部
２３２            折り畳み収納可能なスタンド
２３２１          縦方向のシート
２３２２          横方向のシート
２３３            書き込み領域
２４            封入物
２４１            図案領域
２４２            しおり
Ｓ１〜Ｓ４        ステップ
【図１】
0003168573.tif 000003
【図２】
0003168573.tif 000004
【図３】
0003168573.tif 000005
【図４】
0003168573.tif 000006
【図５】
0003168573.tif 000007
【図６】
0003168573.tif 000008
【図７】
0003168573.tif 000009
【図８】
0003168573.tif 000010
【図９】
0003168573.tif 000011